(57)【要約】【課題】手で支えていなくとも、蓋を開放状態に保持できるようにする。【解決手段】蓋１１を上方に回動すると、蓋１１の横方向端部が凹部７の内側面に設けられた突部１５を乗り越えることにより、突部１５が蓋１１を開放状態に保持するので、手で支えていなくとも済む。【選択図】図１
2008300731.tif 000002
【特許請求の範囲】
【請求項１】
機器本体に、上部に回動支持部を有した蓋を上下方向に回動可能に設け、前記蓋を、前記上部の回動支持部を中心に上方に回動することにより、前記蓋を開放状態にする機器において、
前記機器本体に、前記蓋の横方向端部が乗り越え可能な突部を蓋開放保持部材として設け、前記蓋を上方に回動するとき、前記蓋の横方向端部が前記突部を乗り越えることにより、前記突部が前記蓋を開放状態に保持するように構成したことを特徴とする蓋開放保持部材の構造。
【発明の詳細な説明】
【技術分野】
【０００１】
本発明は上下方向に回動される蓋を開放状態に保持するための蓋開放保持部材の構造に関する。
【背景技術】
【０００２】
例えば、建物の入退室システムでは、室のドアの近傍に端末装置を設置し、個人が所有するＩＣカードを端末装置にかざすと、端末装置がそのＩＣカードの内容を読み取って室のドアの電気施錠装置を解錠する構成が採用されている。
上記端末装置は、システムの制御装置と通信するためのアドレスの設定がなされる。端末装置の本体には、このアドレス設定などを行うための複数のスイッチが設けられているが、これらスイッチは一箇所にまとめられ、そのスイッチ配置部は、蓋により開閉されるようになっている。この蓋は、上部を中心にして回動可能に支持され、上方に回動操作することによって開放状態となる。
なお、ケースに蓋を上部を中心にして回動可能に設ける構造は、一般的に過ぎ、適当な先行技術文献は見当たらなかった。
【発明の開示】
【発明が解決しようとする課題】
【０００３】
上記のように蓋を上部を中心にして上下方向に回動可能に設ける構成では、蓋を開放してスイッチを操作する際、蓋から手を離すと、蓋が自重で閉じ方向に回動してしまうため、スイッチを操作する際には、片方の手で蓋を開放状態に保持していなくてはならず、スイッチ操作がし難いという問題があった。
【０００４】
本発明は上記の事情に鑑みてなされたもので、その目的は、手で支えていなくとも、蓋を開放状態に保持できる簡易な構造を提供することにある。
【課題を解決するための手段】
【０００５】
本発明では、蓋を上方に回動すると、蓋の横方向端部が機器本体に設けられた突部を乗り越えることにより、突部が蓋を開放状態に保持するので、手で支えていなくとも、蓋は開放状態に保持される。
【発明を実施するための最良の形態】
【０００６】
以下、本発明の一実施形態を、例えば、建物の入退室システムに端末装置として用いられるＩＣカードリーダに適用して図面を参照しながら説明する。図３は、ＩＣカードリーダの全体構成を示すもので、例えば非接触式ＩＣカードを読み取る機能（リーダ機能）を有している。このＩＣカードリーダ１の本体（機器本体）２は、全体として矩形箱状で、壁などに固定される。
【０００７】
本体２は、前ケース３と後ケース４とから構成されている。これら両ケース３，４は、共にプラスチック製で、前ケース３には、キー操作部５およびカードリーダ部６が設けられている。キー操作部５には、テンキーなどの各種のキースイッチ５ａが設けられている。カードリーダ部６は、入室者の非接触式ＩＣカード（図示せず）の内容を読み取る。そして、ＩＣカードリーダ１の制御部（図示せず）は、カードリーダ部６により読み取られたＩＣカードの内容をシステムの制御装置に送信し、システムの制御装置によってＩＣカード所持者の入室資格が判断される。入室資格の判断結果は、ＩＣカードリーダ１に返信され、ＩＣカードリーダ１の制御部は、その判断結果に基づいて、室のドアの電気施錠装置を解錠するようになっている。
【０００８】
さて、前ケース３の前面上部には、図１にも示すように、凹部７が前面から後方に窪んで形成されている。この凹部７の奥面は、基板８によって構成され、この基板８に操作素子としてのリセットスイッチ９および複数個のロータリスイッチ１０などが配設されている。これらスイッチ９，１０は、システムの制御装置と通信するためのＩＣカードリーダ１のアドレスなどを設定するためのものである。この凹部７は、蓋１１によって開閉されるようになっている。なお、カードリーダ部６、蓋１１などが設けられた本体２の前面部中央部は、通常は図示しないカバーによって覆われている。
【０００９】
上記蓋１１は、前ケース３に、上部を中心にして上下方向に回動可能に支持されており、その上下方向の回動によって凹部７を開閉する。即ち、蓋１１は、プラスチック製で、上部が湾曲した矩形状をなしており、その上辺部に複数個の突片部１２が突設されている。この突片部１２と蓋１１との間は、薄肉の屈曲可能なセルフヒンジ部１３とされている。そして、突片部１２は、凹部７の上辺部分に形成された細孔１４に圧入状態に差し込まれることによって、蓋１１が、前ケース３に、セルフヒンジ部（回動支持部）１４を中心にして上下方向に回動可能に取り付けられる。
なお、蓋１１には、遮光片１１ａが突設されている。この遮光片１１ａは、蓋１１が凹部７を閉鎖した状態にあるときには、基板８に設けられた蓋開閉検出素子としての図示しないホトカプラに対して投光素子の光を受光素子が受光しないように遮光するものである。
【００１０】
このように上下方向に回動可能に支持された蓋１１に対し、凹部７の左右両内側面のうちの少なくとも一方、例えば右内側面には、蓋開放保持部材として、例えば半球形の突部１５が一体に突設されている。この突部１５の突設位置は、蓋１１を開閉する際の当該蓋１１の横方向端部である右側端部の動作範囲内のうち、全開位置に至るやや手前の位置に定められている。そして、蓋１１を開放してゆくと、全開位置に至るやや手前で、蓋１１の右側端部が突部１５を乗り越えるようになっている。
【００１１】
この場合、蓋１１と凹部７とは、突部１５を有する凹部７側の弾性的な撓み、或いは蓋１１の弾性的な撓みを伴わないと、蓋１１の右側端部が突部１５に乗り上げていって当該突部１５を通過できないような寸法関係に定められている。このため、蓋１１を全開位置まで開放したことによって、蓋１１の右側端部が突部１５を下から上へと通過した場合には、蓋１１の右側端部が突部１５に止められることにより、蓋１１が開放位置に保持される状態になる。
【００１２】
上記構成において、ＩＣカードリーダ１の初期設定時において、凹部７にスイッチ９，１０を操作するために、図示しないカバーを外し、そして、蓋１１を開くべく、当該蓋１１を上方に回動させると、全開位置のやや手前で、蓋１１の右側端部が突部１５を乗り越えるようになる。この突部１５を乗り越える際、凹部７或いは蓋１１の弾性変形を伴うので、蓋１１の右側端部が突部１５を乗り越えて蓋１１や凹部７が復元すると、突部１５が蓋１１の右側端部を係止して蓋１１を全開位置に保持する状態となる。
【００１３】
この状態で、凹部７のロータリスイッチ１０を回してアドレスを設定し、そして、キー操作部５のキースイッチ５ａを操作して、アドレス設定モードにする（このモードにすることで、スイッチ１０により設定されたアドレスを認識する。このような操作の間、蓋１１は突部１５によって開放状態に保持されているので、蓋１１を手で支えている必要はなく、操作性に優れる。操作を終えた後、蓋１１を押し下げるようにすると、蓋１１は、突部１５を上から下へと通過し、元の閉鎖位置に戻される。
【００１４】
なお、本発明は上記し且つ図面に示す実施形態に限定されるものではなく、以下のような拡張或いは変更が可能である。
突部１５は、半球形に限られない。蓋１１の端部が乗り越えられるような形状であれば良い。
突部により開放状態に保持する蓋としては、ＩＣカードリーダの蓋１１に限られない。
蓋１１は、軸によって回動可能に支持する構造であっても良い。
【図面の簡単な説明】
【００１５】
【図１】本発明の一実施形態における要部の縦断側面図
【図２】要部の斜視図
【図３】ＩＣカードリーダの斜視図
【符号の説明】
【００１６】
図面中、２は本体（機器本体）、３は前ケース、７は凹部、１１は蓋、１３はセルフヒンジ部（回動支持部）、１５は突部（蓋開放保持部材）を示す。
【図１】
2008300731.tif 000003
【図２】
2008300731.tif 000004
【図３】
2008300731.tif 000005